(57)【要約】【課題】一方のねじ部材を他方のねじ部材に適正な締付強度で簡単かつ確実に締め付けることができる締付用治具を提供する。【解決手段】本発明は、一方のねじ部材を他方のねじ部材に対し締付方向に回転操作してねじ留めするための締付用治具を対象とする。一方のねじ部材に嵌合可能な治具本体６と、治具本体６を一方のねじ部材に嵌合した状態で締付方向に係合する係合手段と、治具本体６の外周面に外側に突出するように設けられ、かつ把持可能な回転操作部とを備える。治具本体６における回転操作部の設置部周辺または回転操作部に、締付方向に所定値以上のトルクが加わることによって損壊する損壊部６７が設けられている。【選択図】図５
2020104228.tif 000002
【特許請求の範囲】
【請求項１】
一方のねじ部材を他方のねじ部材に対し締付方向に回転操作してねじ留めするための締付用治具であって、
一方のねじ部材に嵌合可能な治具本体と、
前記治具本体を一方のねじ部材に嵌合した状態で締付方向に係合する係合手段と、
前記治具本体の外周面に外側に突出するように設けられ、かつ把持可能な回転操作部とを備え、
前記治具本体の前記回転操作部周辺または前記回転操作部に、締付方向に所定値以上のトルクが加わることによって損壊する損壊部が設けられていることを特徴とする締付用治具。
【請求項２】
前記治具本体が筒状に形成されて、その周壁に軸挿通部が設けられ、
棒状の軸部材が前記治具本体の軸挿通部に挿通配置されることによって前記回転操作部として機能するように構成されている請求項１に記載の締付用治具。
【請求項３】
前記治具本体の周壁における軸挿通部の内周縁部のうち、前記回転操作部の締付方向に対応する縁部に前記損壊部が設けられている請求項２に記載の締付用治具。
【請求項４】
前記軸部材がスクリュードライバーの軸部によって構成されている請求項２または３に記載の締付用治具。
【請求項５】
一方のねじ部材が筒状に形成され、
前記治具本体が一方のねじ部材に嵌入可能に構成され、
一方のねじ部材の内周面に設けられた係合突起と、前記治具本体の外周面に前記係合突起に締付方向に係合する係合凹部とによって、前記係合手段が構成されている請求項１〜４のいずれか１項に記載の締付用治具。
【請求項６】
浴槽壁部の取付孔の外側に配置される槽外取付部材と、浴槽内側から取付孔を通じて槽外取付部材にねじ込んで組み付けられる筒状の雄ねじ部材とを備えた給湯口アダプターにおける一方のねじ部材である雄ねじ部材を他方のねじ部材である槽外取付部材に対して締付方向に回転操作するための給湯口アダプターの組付用治具であって、
請求項１〜５のいずれか１項に記載の締付用治具によって構成されていることを特徴とする給湯口アダプターの組付用治具。
【発明の詳細な説明】
【技術分野】
【０００１】
この発明は、一方のねじ部材を他方のねじ部材にねじ留めする際に用いられる締付用治具に関し、特に給湯口アダプターを浴槽壁部に組み付ける際に好適に用いられる給湯口アダプターの組付用治具に関する。
【背景技術】
【０００２】
浴槽の壁部に取り付けられる給湯口アダプターは、浴槽壁部の取付孔に貫通配置した状態に取り付けられる。一般的な給湯口アダプターは、浴槽の外側に配置される槽外取付部材と、浴槽の内側から取付孔を介して槽外取付部材にねじ込まれる雄ねじ部材と、雄ねじ部材に装着される流路仕切部材と、流路仕切部材に装着されるフィルター部材とを備えている。
【０００３】
このような給湯口アダプターは下記特許文献１，２等に示すように、浴室外において槽外取付部材を浴槽外壁面の取付孔周辺に配置しておき、浴室内において雄ねじ部材を浴槽の内側から取付孔に通して、上記槽外取付部材にねじ込むようにしている。雄ねじ部材を槽外取付部材にねじ込む場合、締付過剰や締付不足等が発生するのを防止するために、締付トルクの適正値（設定値）が設けられている。
【先行技術文献】
【特許文献】
【０００４】
【特許文献１】特許第５２５７７６９号
【特許文献２】特許第４８６２４７９号
【発明の開示】
【発明が解決しようとする課題】
【０００５】
しかしながら、従来の給湯口アダプターの施工作業において、雄ねじ部材の槽外取付部材に対する締付加減、締付具合等の善し悪しは、作業者の熟練度や能力、技能等に大きく影響され、個人差があるため、雄ねじ部材を適正な締付強度で締め付けることが困難であり、締付過剰による部品の破損や、締付不足による取付不良の発生等が生じるおそれがあるという課題があった。
【０００６】
またトルクレンチ等のトルク測定器を用いて、雄ねじ部材のトルクを測定しながら締め付けることにより、トルクを適正値に設定することも可能であるが、そうすると、トルク測定作業と、締付作業との２つの作業を並行して行う必要があり、作業者の負担が大きくなり、アダプター組付作業が困難になるという課題が発生する。
【０００７】
この発明は、上記の課題に鑑みてなされたものであり、雄ねじ部材等の一方のねじ部材を、槽外取付部材等の他方のねじ部材に適正な締付強度で簡単かつ確実に締め付けることができる締付用治具および給湯口アダプターの組付用治具を提供することを目的とする。
【課題を解決するための手段】
【０００８】
上記課題を解決するため、本発明は、以下の手段を備えるものである。
【０００９】
［１］一方のねじ部材を他方のねじ部材に対し締付方向に回転操作してねじ留めするための締付用治具であって、
一方のねじ部材に嵌合可能な治具本体と、
前記治具本体を一方のねじ部材に嵌合した状態で締付方向に係合する係合手段と、
前記治具本体の外周面に外側に突出するように設けられ、かつ把持可能な回転操作部とを備え、
前記治具本体の前記回転操作部周辺または前記回転操作部に、締付方向に所定値以上のトルクが加わることによって損壊する損壊部が設けられていることを特徴とする締付用治具。
【００１０】
［２］前記治具本体が筒状に形成されて、その周壁に軸挿通部が設けられ、
棒状の軸部材が前記治具本体の軸挿通部に挿通配置されることによって前記回転操作部として機能するように構成されている前項１に記載の締付用治具。
【００１１】
［３］前記治具本体の周壁における軸挿通部の内周縁部のうち、前記回転操作部の締付方向に対応する縁部に前記損壊部が設けられている前項２に記載の締付用治具。
【００１２】
［４］前記軸部材がスクリュードライバーの軸部によって構成されている前項２または３に記載の締付用治具。
【００１３】
［５］一方のねじ部材が筒状に形成され、
前記治具本体が一方のねじ部材に嵌入可能に構成され、
一方のねじ部材の内周面に設けられた係合突起と、前記治具本体の外周面に前記係合突起に締付方向に係合する係合凹部とによって、前記係合手段が構成されている前項１〜４のいずれか１項に記載の締付用治具。
【００１４】
［６］浴槽壁部の取付孔の外側に配置される槽外取付部材と、浴槽内側から取付孔を通じて槽外取付部材にねじ込んで組み付けられる筒状の雄ねじ部材とを備えた給湯口アダプターにおける一方のねじ部材である雄ねじ部材を他方のねじ部材である槽外取付部材に対して締付方向に回転操作するための給湯口アダプターの組付用治具であって、
前項１〜５のいずれか１項に記載の締付用治具によって構成されていることを特徴とする給湯口アダプターの組付用治具。
【発明の効果】
【００１５】
発明［１］の締付用治具によれば、治具本体を嵌合した一方のねじ部材を他方のねじ部材にねじ留めするに際して、治具本体または回転操作部に、締付方向に所定以上のトルクが加わることによって損壊する損壊部が設けられているため、損壊部の損壊を基に締付作業の適正な終了時点を把握することができる。このため必要以上の強度で一方のねじ部材を締め付けてしまうことがなく、締付過剰による部品の損壊等の不具合を防止できるとともに、不十分な状態で締付操作を終了してしまうこともなく、締付不足による取付不良の発生等も防止することができるため、作業者の技能にかかわらず、一方のねじ部材を他方のねじ部材に適正な締付強度で確実に締め付けることができる。さらに作業者は損壊部が損壊した時点で締付操作を終了すれば良いので、操作終了時点の見極め等に余計な労力を費やす必要がなく、締付操作を簡単に行うことができる。
【００１６】
発明［２］［３］の締付用治具によれば、上記の効果をより確実に得ることができる。
【００１７】
発明［４］の締付用治具によれば、回転操作部としてスクリュードライバーを用いることができるため、回転操作部として専用の工具等の準備する必要がなく、利便性を向上させることができる。
【００１８】
発明［５］の締付用治具によれば、一方のねじ部材を他方のねじ部材に適正な締付強度でより一層確実に締め付けることができる。
【００１９】
発明［６］の給湯口アダプターの組付用治具によれば上記と同様に、雄ねじ部材を槽外取付部材に適正な締付強度で簡単かつ確実に締め付けることができる。
【図面の簡単な説明】
【００２０】
【図１】図１はこの発明の実施形態である締付用治具としての組付用治具により組み付けられた浴槽用給湯口アダプターを示す側面断面図である。
【図２】図２は実施形態の給湯口アダプターを分解して示す斜視図である。
【図３】図３は実施形態の組付用治具を分解して示す斜視図である。
【図４】図４は実施形態の組付用治具における使用前の治具本体を示す図であって、図（ａ）は側面図、図（ｂ）は端面図である。
【図５】図５は実施形態における回転操作開始直前の組付用治具を説明するための斜視図である。
【図６】図６は実施形態の組付用治具における使用後の治具本体を示す側面図である。
【図７】図７は実施形態における回転操作終了直後の組付用治具を説明するための斜視図である。
【図８】図８はこの発明の変形例である組付用治具の治具本体を示す図であって、図（ａ）は使用前の状態を示す側面図、図（ｂ）は使用後の状態を示す側面図である。
【発明を実施するための形態】
【００２１】
まず始めに、本発明の実施形態である取付治具Ｔを用いて浴槽に組み付けられる給湯口アダプターの構成について説明する。
【００２２】
図１は給湯口アダプターを浴槽の壁部Ｗ１に組み付けた状態で示す断面図、図２は給湯口アダプターを分解して示す斜視図である。
【００２３】
両図に示すように、給湯口アダプターは、浴槽の壁部Ｗ１に設けられた取付孔Ｈ１に組み付けられる。この給湯口アダプターは、室外の給湯機から供給された湯水を浴槽内に供給する湯はり処理の他に、浴槽内の湯水を吸い込んで室外の給湯機に送り、そこで再加熱して、高温のお湯を浴槽内に戻すようにした追い焚き処理を行えるものである。
【００２４】
なおこの給湯口アダプターは、２つの外管接続部１ａ，１ｂに対して、給湯機につながる往き管および戻り管のどちらを接続しても使用可能な、いわゆる無極性タイプである。さらにアダプター内部に、逆流防止弁等の水の流動を制御するための流動制御弁が設けられない弁無しタイプである。
【００２５】
本実施形態の給湯口アダプターは、槽外取付部材１と、雄ねじ部材２と、流路仕切部材３と、フィルター部材４とを基本的な構成要素として備えている。なお、以下の説明においては、給湯口アダプターの軸心方向に沿って浴槽に対して内側（図１の左側）を「前側」または「正面側」とし、浴槽に対して外側（図１の右側）を「後側」または「裏面側」として説明する。
【００２６】
図１および図２に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の後端閉塞壁に設けられる管状の第１，第２外管接続部１ａ，１ｂとを一体に有している。
【００２７】
内筒部１１の内部空間は、後述の内側流路Ａの一部として構成されるとともに、内筒部１１および外筒部１２間の環状空間は、後述の外側流路Ｂの一部として構成されている。上記第１外管接続部１ａが内側流路Ａに連通されるとともに、第２外管接続部１ｂが外側流路Ｂに連通されている。
【００２８】
外筒部１２の前部内周面には、雄ねじ部材２をねじ込むための雌ねじが刻設されている。さらに図１に示すように内筒部１１の内周面には、合成ゴム製のＯリング８１が収容されている。
【００２９】
また槽外取付部材１のフランジ部１５の外周縁部には、そのフランジ部１５と浴槽外壁面との間の水密を図るためのパッキン８２が取り付けられている。
【００３０】
雄ねじ部材２は、前後両端が開放された円筒形状の胴体部２１と、その胴体部２１の前端外周に設けられた平板リング状のフランジ部２５とを一体に有する鍔付き円筒形状の硬質合成樹成形品をもって構成されている。
【００３１】
胴体部２１の外周側面には、上記槽外取付部材１における外筒部１２の雌ねじに対応して、雄ねじが刻設されており、胴体部２１を槽外取付部材１の外筒部１２内にねじ込んで固定できるようになっている。
【００３２】
また雄ねじ部材２の内周面には、内方に突出する係合突起５１が一体に形成されている。係合突起５１は、雄ねじ部材２の内周面における対向する位置に２つ形成されている。
【００３３】
雄ねじ部材２におけるフランジ部２５の後面側（裏面側）には、浴槽内壁面との間に介在されるように、合成ゴム製のリング状パッキン８３が設けられている（図１参照）。
【００３４】
そして、槽外取付部材１のフランジ部１５が、浴槽の外壁面における取付孔Ｈ１の周縁部に沿うように配置された状態で、雄ねじ部材２のフランジ部２５が、パッキン８３を介して浴槽内壁面における取付孔Ｈ１の周縁部に圧接されるようにして、雄ねじ部材２の胴体部２１が取付孔Ｈ１を通じて、槽外取付部材１の外筒部１２にねじ込まれて固定される。これにより両部材１，２のフランジ部１５，２５によって、浴槽壁部Ｗ１における取付孔周縁部が挟持されて、両部材１，２が浴槽壁部Ｗ１に貫通状態に組み付けられる。
【００３５】
なお詳細は後に説明するが、本実施形態においては、組付用治具Ｔを用いて、雄ねじ部材２を槽外取付部材１にねじ込むようにしている。
【００３６】
流路仕切部材３は、軸心方向（前後方向）に延びる細長い円筒形状の円筒部３１と、その円筒部３１の前端部に設けられた円盤状の槽内突出部３２とを有している。
【００３７】
円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の胴体部２１の内部に配置されるものであり、円筒部３１および胴体部２１間の環状空間と、それに連通する槽外取付部材１における内筒部１１および外筒部１２間の環状空間とによって、外側流路Ｂが形成される。
【００３８】
槽内突出部３２は、内部に複数の流路が設けられる中空構造を有している。この槽内突出部３２における外周壁の下部両側には、第１，第２開口３２ａ，３２ｂが形成されている。
【００３９】
流路仕切部材３は、その槽内突出部３２の後側を、雄ねじ部材２のフランジ部２５の前面側から外嵌して、ロック手段（図示省略）を介して抜け出し不能に取り付けられる。
【００４０】
流路仕切部材３を雄ねじ部材２および槽外取付部材１に組み付けた状態では、内側流路Ａが、流路仕切部材３の第１開口３２ａに連通されるとともに、外側流路Ｂが、流路仕切部材３の第２開口３２ｂに連通されている。
【００４１】
また流路仕切部材３にはその槽内突出部３２を覆うようにして、フィルター部材４が着脱自在に取り付けられる。このフィルター部材４には、槽内突出部３２の第１，第２開口３２ａ，３２ｂに対応して、開口４２，４２が形成されている。
【００４２】
以上のように構成された給湯口アダプターは、既述したように、室外給湯機と配管接続する際に、槽外取付部材１における２つの外管接続部１ａ，１ｂに対して、室外給湯機につながる往き管および戻り管のどちらを接続しても使用可能な無極性タイプのものである。例えば第１外管接続部１ａに往き管、第２外管接続部１ｂに戻り管を接続した状態において、追い焚き処理を行った場合には、給湯機から供給される湯水が往き管および第１外管接続部１ａを通って内側流路Ａに導入され、さらにその湯水が内側流路Ａを通って、流路仕切部材３の第１開口３２ａおよびフィルター部材４の一方の開口４２を通って、浴槽内に供給される。
【００４３】
吸込側では、給湯機の吸引力によって、戻り管および外側流路Ｂが負圧に設定されるため、浴槽内の湯水は、フィルター部材４の他方の開口４２および流路仕切部材３の第２開口３２ｂを通って、外側流路Ｂに吸い込まれ、戻り管を通って給湯機に戻される。
【００４４】
一方、第２外管接続部１ｂに往き管、第１外管接続部１ａに戻り管を接続した状態で、追い焚き処理を行った場合には、上記とは逆方向に循環する。すなわち給湯機からの湯水が、往き管、外側流路Ｂ、第２開口３２ｂおよびフィルター部材４の開口４２を通って浴槽内に供給されるとともに、浴槽内の湯水は、フィルター部材４の開口４２、第１開口３２ａ、内側流路Ａ、第１外管接続部１ａおよび戻り管を通って給湯機に戻される。
【００４５】
次に本実施形態のポイントとなる給湯口アダプターの組付用治具Ｔとしての締付用治具の構成について詳細に説明する。
【００４６】
図３〜図５は実施形態の組付用治具Ｔを示す図である。これらの図に示すように本実施形態の組付用治具Ｔは、治具本体６と、把持可能な回転操作部としてのスクリュードライバー７とを備えている。
【００４７】
治具本体６は、硬質合成樹脂の一体成形品によって構成されており、円筒形状の基体６１を備えている。
【００４８】
基体６１は、その外周面における軸方向の中間部のやや一方側寄りの位置に、外方に突出するようにフランジ状のストッパー部６２と、そのストッパー部６２よりも一方側の領域（周壁）によって構成される嵌入部６３と、ストッパー部６２よりも他方側の領域（周壁）によって構成される非嵌入部６４とを一体に備えている。
【００４９】
嵌入部６３はやや先細形状に形成されており、図５に示すように給湯口アダプターにおける上記雄ねじ部材２にその前面側から胴体部２１の筒孔内に嵌合できるように構成されている。
【００５０】
嵌入部６３の先端縁部には、雄ねじ部材２における胴体部２１の内周面に設けられた一対の係合突起５１に対応して、切欠状の一対の係合凹部５２が形成されている。そして図５に示すように治具本体６を雄ねじ部材２に嵌入した際には、一対の係合凹部５２を一対の係合突起５１に係合できるように構成されている。さらにその係合によって、治具本体６が雄ねじ部材２に対し軸回り方向（回転操作方向）に係合し、この係合状態では治具本体６の回転操作に連動して雄ねじ部材２も回転するように構成されている。
【００５１】
ここで本実施形態においては、雄ねじ部材２の係合突起５１および治具本体６の係合凹部５２によって係合手段が構成されている。
【００５２】
図３〜図５に示すように治具本体６の非嵌入部６４の周壁には、スクリュードライバー７の軸部７２を挿入可能な軸挿通部としての円形の軸挿通孔６５が形成されている。この軸挿通孔６５は、治具本体６の周壁において対向する２箇所で対となるように形成されており、図５に示すように、スクリュードライバー７の軸部７２を、この一対の軸挿通孔６５，６５に挿通した状態では、軸部７２が治具本体６の軸心に対し直交して、治具本体６を串刺し状に貫通するように配置される。
【００５３】
また治具本体６の非嵌入部６４の周壁には、軸挿通孔６５，６５に対しねじ締め方向（図４（ａ）の左方向）の片側半分を囲うように半円弧状（三日月状）の並設孔６６，６６が形成されている。そして軸挿通孔６５と並設孔６６との間に略半円弧状の損壊部６７が形成されている。この損壊部６７は、周方向の一端側から他端側に向かうに従って次第に幅が狭くなるように形成されており、最も幅が狭い他端部近傍が破断位置６８として構成されている。
【００５４】
この損壊部６７は、後述するようにその損壊部６７に加わるトルク（回転力）が所定の設定値を超えると破断位置６８で破断して損壊するように構成されている（図６および図７参照）。
【００５５】
スクリュードライバー７は、汎用の工具として一般に広く使用されているねじ回しであり、円筒状の把持部７１と、その把持部７１の先端面から軸心に沿って突出するように取り付けられる軸部材としての軸部７２とを備えている。
【００５６】
本実施形態においては、この組付用治具Ｔを用いて、給湯口アダプターにおける槽外取付部材１に雄ねじ部材２をねじ込んで組み付けるものである。
【００５７】
すなわち図１および図２に示すように槽外取付部材１を浴槽外壁面側に配置して、雄ねじ部材２を浴槽壁部Ｗ１の取付孔Ｈ１を通じて槽外取付部材１の外筒部１２に軽くねじ込んで両部材１，２を浴槽壁部Ｗ１を介して仮組状態に保持する。
【００５８】
その後図５に示すように、仮組状態に保持された雄ねじ部材２の胴体部２１の筒孔内にその前面側から治具本体６の嵌入部６３を嵌め込んで、治具本体６側の係合凹部５２を雄ねじ部材２側の係合突起５１に係合する。
【００５９】
次にスクリュードライバー７の軸部７２を治具本体６の軸挿通孔６５に挿入して治具本体６に串刺し状に貫通配置する。なお言うまでもなく、治具本体６を雄ねじ部材２に嵌入する前に、治具本体６にスクリュードライバー７を差し込んでおいて、そのスクリュードライバー７付の治具本体６を雄ねじ部材２に嵌め込むようにしても良い。
【００６０】
その状態で、スクリュードライバー７の把持部７１や軸部７２に掌や指をかけて、スクリュードライバー７と共に治具本体６を締付方向（時計方向）に回転操作して、雌ねじ部材２を槽外取付部材１にねじ込んでいく。ねじ込んでいくに従って締付トルクが次第に増大していくが、本実施形態においては、このトルクが所定の設定値を超えると、図６および図７に示すように治具本体６における損壊部６７がその破断位置６８で破断することによって損壊する。なお図６においては、破断により変形した状態の破損部６７に斜線によるハッチング（網掛け模様）を付している（後述の図８（ｂ）においても同じ）。
【００６１】
そして作業者はこの損壊を目安として締付強度（取付強度）が所定の強度に達したことを把握する。さらに損壊後は、必要に応じて雄ねじ部材２を、予め指定された所定の回転姿勢に配置されるまで締め付け、これにより締付操作が終了する。
【００６２】
ここで、所定の設定値とは、ねじ込みによる雄ねじ部材２の槽外取付部材１に対する取付強度が最適となるトルク値であって、具体的には１４．７Ｎ・ｍ程度に設定されている。
【００６３】
従って最適なトルク値を超えた時点で確実に、作業者は締付操作を終了するため、必要以上に高いトルク値で雄ねじ部材２を締め付けるのを防止できて、締付過剰による部品や部位の破損等の不具合を有効に防止することができる。さらに最適なトルク値に到達する前に、作業者が締付操作を終了してしまうことはないため、不十分な低いトルク値で雄ねじ部材２の締付操作を終了するような不具合も防止でき、締付不足による取付不良の発生等の不具合も有効に防止することができる。
【００６４】
さらに作業者は、治具本体６における損壊部６７の損壊の有無を基に、締付具合の善し悪しを正確に判断できるため、締付具合の判断を正確かつ容易に行うことができ、雄ねじ部材２の組付作業、ひいては給湯口アダプター全体の組付作業を簡単に行うことができる。
【００６５】
以上のように本実施形態の給湯口アダプター組付用治具Ｔによれば、雄ねじ部材２を槽外取付部材１に対し、適正な取付強度で簡単かつ確実に組み付けることができる。
【００６６】
図８はこの発明の変形例である給湯口アダプターの組付用治具Ｔにおける治具本体６を示す側面図である。同図に示すように、変形例の治具本体６は、上記図５〜図７に示す実施形態の治具本体６に対し、損壊部６７の形状が異なっている。
【００６７】
すなわちこの変形例の治具本体６においては、円形の軸挿通孔６５に対し、その締付方向側に並設して形成される並設孔６６が、略ダンベル状〜略ひょうたん型に形成されている。これにより軸挿通孔６５と並設孔６６との間の周壁部によって、円弧状の損壊部６７が形成されている。この損壊部６７は、軸挿通孔６７の周縁部のうち締付方向側の縁部に配置されている。さらに損壊部６７においては、中央部がその両側部よりも幅が狭くなるように形成されており、最も狭幅な中央部が破断位置６８として構成されている。
【００６８】
この変形例の組付用治具Ｔにおいて他の構成は、上記実施形態の組付用治具Ｔと実質的に同様であるため、同一または相当部分に同一符号を付して重複説明は省略する。
【００６９】
この変形例の組付用治具Ｔの使用方法は、上記実施形態と同様である。すなわち槽外取付部材１に雄ねじ部材２を軽くねじ込んで仮組した状態で、治具本体６の嵌入部６２を雄ねじ部材２に嵌め込んで係合凹部５２を係合突起５１に係合する。
【００７０】
続いてスクリュードライバー７を治具本体６に差し込んで、スクリュードライバー７および治具本体６を回転操作して雄ねじ部材２をねじ込んでいく。さらに所定のトルクに到達して締付強度が最適となった時点で、図８に示すように治具本体６における損壊部６７がその破断位置６８で破断して損壊するため、その損壊を目安にして作業者は締付強度が所定の強度に達したことを把握し、適宜締付操作を終了する。
【００７１】
これによりこの変形例の組付用治具Ｔにおいても、上記実施形態と同様に雄ねじ部材２を槽外取付部材１に対し、適正な取付強度で簡単かつ確実に組み付けることができる。
【００７２】
なお、上記実施形態においては、組付用治具Ｔの治具本体６における損壊部６７が破断した場合を、損壊部６７が損壊したものとしているが、それだけに限られず、本発明においては、損壊部が部分的に破断した場合や、損壊部６７が破断せずに変形した場合を、損壊部が損壊したものとしても良い。
【００７３】
また上記実施形態においては、治具本体６に、損壊部６７が並設された軸挿通孔（軸挿通部）６５を１組（一対）設ける場合を例に挙げて説明したが、それだけに限られず、本発明においては、治具本体に損壊部並設の軸挿通部を２組以上（二対以上）設けておき、雄ねじ部材の締結操作により所定の１組の損壊部が損壊した後、その使用済みの治具本体を、損壊していない別の１組の損壊部が並設された軸挿通部を利用して、新たに締結操作を行うようにしても良い。このように損壊部を複数設けることによって、治具本体を何度も繰り返して使用することができる。
【００７４】
また上記実施形態等においては、弁無し無極性タイプの給湯口アダプターを組み付ける場合を例に挙げて説明したが、それだけに限られず、本発明においては、どのようなタイプの給湯口アダプターも組み付けることができる。例えば前面から湯水を吸引し、かつ周側壁から湯水を吐出する弁付きの無極性タイプの給湯口アダプターや、戻り管や往き管の接続位置が予め決定されている有極性タイプの給湯口アダプターにも、上記と同様に適用することができる。
【００７５】
また上記実施形態等においては、締付用治具としての組付用治具Ｔの回転操作部をスクリュードライバーによって構成する場合を例に挙げて説明したが、それだけに限られず、回転操作部として、棒状の軸部材等の他の汎用工具を用いるようにしても良い。さらに本発明において回転操作部として、専用の樹脂製等の軸部材を用いるようにしても良い。この場合には例えば、所定のトルク値以上で、軸部材が損壊するように構成することによって、軸部材（回転操作部）の一部を損壊部として構成することもできる。さらに本発明においては、締付用治具を、治具本体と、軸部材（回転操作部）とが一体に形成された硬質合成樹脂成形品によって構成するようにしても良い。
【産業上の利用可能性】
【００７６】
この発明の組付用治具は、浴槽に給湯口アダプターを組み付ける際の給湯口アダプターの組付用治具として好適に用いることができる。
【符号の説明】
【００７７】
１：槽外取付部材（他方のねじ部材）
２：雄ねじ部材（一方のねじ部材）
５１：係合突起（係合手段）
５２：係合凹部（係合手段）
６：治具本体
６５：軸挿通孔（軸挿通部）
６７：損壊部
７：スクリュードライバー（回転操作部）
７２：軸部（軸部材）
Ｈ１：取付孔
Ｔ：組付用治具
Ｗ１：浴槽側壁 
【図１】
2020104228.tif 000003
【図２】
2020104228.tif 000004
【図３】
2020104228.tif 000005
【図４】
2020104228.tif 000006
【図５】
2020104228.tif 000007
【図６】
2020104228.tif 000008
【図７】
2020104228.tif 000009
【図８】
2020104228.tif 000010